(57)【要約】【課題】強引に回して内筒または鍵座構造が壊れるのを避ける箱錠の鍵座強化構造を提供する。【解決手段】鍵座は外筒を有し、内筒ホルダー２０はリング部２１を有し、リング部上にはコラム２２が突設される。内筒ホルダー２０は外筒内に入り、外筒の内面に凹凸形状を成す。内筒３には鍵穴３１が設置され、ボディ部には伸縮可能な歯板３２が設置される。内筒３は外筒内に入り、歯板３２を内筒ホルダー２０のコラム２２の間から突出させる。【選択図】図５
0003128063.tif 000002
【実用新案登録請求の範囲】
【請求項１】
鍵座は外筒を有し、当該外筒内の片側にはスリットが設けられ、
内筒ホルダーは、金属材質からなり、リング部を有し、当該リング部上には複数のコラムが突設され、当該内筒ホルダーは当該外筒内に入り、当該外筒の内環面には凹凸凹凸が交互に設置された形状を成し、
内筒は端面に鍵穴が設置され、鍵の挿入に供し、ボディ部にはいくつかの伸縮可能な歯板が設置され、当該内筒は当該外筒内に入り、前記歯板が交互に二つのコラムの間から突出可能であることを特徴とする箱錠の鍵座強化構造。
【請求項２】
当該外筒の内壁面にはいくつかの出っ張り部が設けられ、当該出っ張り部は長形を呈し、当該外筒の心棒方向に沿って設置されることを特徴とする請求項１に記載の箱錠の鍵座強化構造。
【請求項３】
各コラム部の外側面には全てはめ込み溝が設けられ、当該はめ込み溝は当該外筒内の出っ張り部と適合し、出っ張り部が当該はめ込み溝内にセットされることを特徴とする請求項１に記載の箱錠の鍵座強化構造。
【請求項４】
当該コラム部は当該リング部の心棒に沿った方向に突設されることを特徴とする請求項１に記載の箱錠の鍵座強化構造。
【請求項５】
当該鍵座はプラスチック材質であることを特徴とする請求項１に記載の箱錠の鍵座強化構造。
【考案の詳細な説明】
【技術分野】
【０００１】
本考案はスーツケースの鍵に関し、特に箱錠の鍵座の強化構造に関する。
【背景技術】
【０００２】
現在市販されているスーツケースの錠の鍵座の構造をみると、大体においてすべてプラスチック成型のパネル上にあらかじめ外筒１を設け、外筒の中には外筒の長軸に沿って当該外筒の軸心方向に向かって４つの出っ張った張り出し部２が設置され、当該外筒の内環面には凹凸凹凸が交互に設置された形状を成すようにし、内筒３を当該外筒中に取り付け、内筒環面上の突き出た歯板４が突出することのできる当該外筒内環面下の凹んだ部分を利用し、ふたつの張り出し部２の間を制限することで錠を動くことのできない機能にさせることを図１図３で示している。使用者が正しい鍵を鍵穴に挿入する時、当該歯板４は当該内筒３内でひっこみ、内筒の外環面を平らで突出するもののない部分（これは従来の慣用技術構造）とし、これにより当該内筒をうまく回すことができ、開錠動作が完了する。
【０００３】
しかし、当該外筒１はプラスチック材質でできているが、当該歯板４は全て銅または鉄等の金属材料でできているため、このような構造には実際上問題が存在する。つまり、当該歯板４の当該外筒１の内環面下の凹みで突出する部分の長さが短いまたは誤った鍵を使用してわずかひとつかふたつの内環面下の凹みで歯板が突出する部分ができてしまった時であっても、図４に示すように当該内筒を強制的に回転させることができる。
【０００４】
金属歯板の強度と硬度は、プラスチック外筒内の出っ張り部よりはるかに強いため、強引に回す状況下においても内筒を回すことができたり、回転と同時に当該外筒内の張り出し部２に出っ張った金属歯板４がこすれた擦過痕によって鍵座構造の壊れを引き起こすことがある。
【考案の開示】
【考案が解決しようとする課題】
【０００５】
本考案の目的は、強引に回して内筒または鍵座構造が壊れるのを避ける箱錠の鍵座強化構造を提供するところにある。
【課題を解決するための手段】
【０００６】
上記目的に達するために、本考案の箱錠の鍵座強化構造は、次を包含する。鍵座は外筒を持つ。内筒ホルダーにはリング部があり、当該リング部上にいくつかのコラムが突設され、当該内筒ホルダーは当該外筒内に入り、当該外筒の内環面には凹凸凹凸が交互に設置され形状を成すようにする。ひとつの内筒は、ボディ部にいくつかの伸縮できる歯板が設けられ、当該内筒は当該外筒に入れられ、その歯板を当該内筒ホルダーのふたつの交互になるコラム部の間から突出させることができる。
【考案を実施するための最良の形態】
【０００７】
本考案の構造と効果を詳細に説明するために、以下に実施例を挙げて図に基づいて説明する。
図５から図８を参考にし、本考案の箱錠の鍵座強化構造は次を包含する。
【０００８】
鍵座１０には外筒１１があり、当該外筒内の片側にはスリット１２が設けられ、当該外筒の内壁面にはいくつかの出っ張り部１３が設けられ、当該等出っ張り部は長形を呈して、当該外筒の心棒方向に沿って設置される。実施例中の当該鍵座はプラスチック材料でできており、当該外筒内には４つの出っ張り部が設けてある。
【０００９】
内筒ホルダー２０は、金属材質でできており、リング部２１を有し、当該リング部上の心棒方向に沿っていくつかのコラム部２２が突設され、各コラム部の外側面には全てはめ込み溝２３が設けられる。当該内筒ホルダーは当該外筒１１内に入れられ、当該外筒の内環面には凹凸凹凸が交互に設置された形状を成すようにし、当該はめ込み溝２３は当該外筒の出っ張り部１３に適合して、出っ張り部が当該はめ込み溝内にセットされる。
【００１０】
実施例中の当該内筒ホルダーは金属材質でできており、当該リング部上で適合する当該外筒１１の出っ張り部の数を４つのコラム部２２に設け、各コラム部の外側面には全てはめ込み溝２３が設けられ、当該内筒ホルダーが当該外筒１１に入った時は、当該はめ込み溝２３は各対応する出っ張り部１３に適合でき、当該はめ込み溝内にセットされ、当該内筒ホルダー２０を回せなくする。
【００１１】
内筒３０には端面に鍵穴３１が設けられ、鍵の挿入に供され、ボディ部にはいくつかの伸縮のできる歯板３２が設けられ、当該内筒は当該外筒１１内に入れられ、その歯板３２を当該内筒ホルダー２０のふたつの交互のコラム部２２の間から突出することができ、当該内筒の底部には閂３３が設けられ、慣用構造と同じである。
【００１２】
上記の構造を以って、本考案は組み立て後の使用時に従来用の構造の使用方式と同じになり、使用者が正しい鍵を鍵穴３１に差し込む時、当該歯板３２は当該内筒３０の中でひっこみ、内筒の外環面を突出のない平らな部分にし、当該内筒はうまく回ることができ、開錠動作を完了できることを図８は示している。
【００１３】
しかし、当該歯板３２は当該コラム部の間の短いところから突出するか、誤った鍵を使用して、わずか１つか２つの歯板が内筒ホルダーの２つの交互にあるコラム部の間から突出する時、本考案は鍵座外筒１１内に金属材質でできた内筒ホルダー２０が設置され、且つ当該内筒ホルダー２０は外筒１１とはめ込み溝２３及び出っ張り部１３を以って確実にかっちりと固定され、金属の内筒ホルダーコラム部２２を利用し金属の内筒歯板３２で適合させているため、当該内筒は回されることができず、これにより前掲の従来構造中のプラスチック外筒内の張り出し部に突き出た金属歯板がこすれて擦過痕ができて鍵座構造が壊れる状況を排除することができ、製品使用の安全性と安定性を確保する。
【図面の簡単な説明】
【００１４】
【図１】従来製品の構造を示す立体分解図である。
【図２】従来製品の鍵座を示す平面図である。
【図３】従来製品の内筒の断面図である。
【図４】本考案の実施例による内筒の使用状態を示す見取り図である。
【図５】本考案の実施例による箱錠の鍵座強化構造を示す立体分解図である。
【図６】本考案の実施例による鍵座を示す平面図である。
【図７】本考案の実施例による内筒を示す断面図である。
【図８】本考案の実施例による内筒の使用状態を示す見取り図である。
【符号の説明】
【００１５】
１：外筒、２：張り出し部、３：内筒、４：歯板、１０：鍵座、１１：外筒、１２：スリット、１３：出っ張り部、２０：内筒ホルダー、２１：リング部、２２：コラム、２３：はめ込み溝、３０：内筒、３１：鍵穴、３２：歯板、３３：閂
【図１】
0003128063.tif 000003
【図２】
0003128063.tif 000004
【図３】
0003128063.tif 000005
【図４】
0003128063.tif 000006
【図５】
0003128063.tif 000007
【図６】
0003128063.tif 000008
【図７】
0003128063.tif 000009
【図８】
0003128063.tif 000010